(57)【要約】      （修正有）【課題】読取条件をユーザーの所望する条件に設定する。【解決手段】画像形成装置は、画像読取ユニット２、原稿搬送ユニット３、操作表示部及び制御部５を備える。制御部５は、原稿読取部５０１、判定部５０２及び第１設定部５０１を備える。原稿読取部５０１は、原稿に形成された画像を読み取り、画像情報を生成する。判定部５０２は、生成した画像情報が、予め設定された特定画像を示すか否かを判定する。第１設定部５０３は、判定部５０２の判定結果に応じて、読取条件を前記特定画像に対応する条件に設定する。前記読取条件は、原稿読取部５０１が前記原稿を読み取る条件を示す。【選択図】図２
2018170646.tif 000002
【特許請求の範囲】
【請求項１】
原稿に形成された画像を読み取り、画像情報を生成する原稿読取部と、
前記画像情報が、予め設定された特定画像を示すか否かを判定する判定部と、
前記判定部の判定結果に応じて、読取条件を前記特定画像に対応する条件に設定する第１設定部と
を備え、
前記読取条件は、前記原稿読取部が前記原稿より後の原稿を読み取る条件を示す、画像読取装置。
【請求項２】
前記特定画像は、第１画像を含み、
前記判定部は、前記画像情報が前記第１画像を示すか否かを判定し、
前記画像情報が前記第１画像を示すと前記判定部が判定した場合に、前記第１設定部は、前記読取条件を初期条件に設定する、請求項１に記載の画像読取装置。
【請求項３】
前記第１画像は、白紙を示す、請求項２に記載の画像読取装置。
【請求項４】
ユーザーの操作に応じて前記読取条件を決定する第１決定部と、
前記第１決定部が決定した前記読取条件を示す情報を第１識別情報に対応付けて記憶する第１記憶部と
を更に備え、
前記特定画像は、前記第１識別情報を示す第２画像を含み、
前記判定部は、前記画像情報が前記第２画像を示すか否かを判定し、
前記画像情報が前記第２画像を示すと前記判定部が判定した場合に、前記第１設定部は、前記第１識別情報に対応する前記読取条件に設定する、請求項１から請求項３のいずれか１項に記載の画像読取装置。
【請求項５】
ユーザーの操作に応じて、前記読取条件と、前記原稿を読み取る処理以外の処理の処理条件とを決定する第２決定部と、
前記読取条件を示す情報と前記処理条件を示す情報とを第２識別情報に対応付けて記憶する第２記憶部と、
前記処理条件に対応した処理を実行する実行部と
を更に備え、
前記特定画像は、前記第２識別情報を示す第３画像を含み、
前記判定部は、前記画像情報が前記第３画像を示すか否かを判定し、
前記画像情報が前記第３画像を示すと前記判定部が判定した場合に、
前記第１設定部は、前記第２識別情報に対応する前記読取条件に設定し、
前記実行部は、前記第３画像が形成された原稿より後の原稿の画像情報に対して、前記処理条件に対応した処理を実行する、請求項１から請求項４のいずれか１項に記載の画像読取装置。
【請求項６】
ユーザーの操作に応じて前記読取条件を初期条件に設定する第２設定部を更に備える、請求項１から請求項５のいずれか１項に記載の画像読取装置。
【請求項７】
ユーザーの操作に応じて前記読取条件を決定する第３決定部と、
前記第３決定部が設定した前記読取条件を示す情報を記憶する第３記憶部と、
ユーザーの操作に応じて前記読取条件を前記第３記憶部に記憶された前記読取条件に設定する第３設定部と
を更に備える、請求項１から請求項６のいずれか１項に記載の画像読取装置。
【請求項８】
記録媒体に画像を形成する画像形成部と、
請求項１から請求項６のいずれか１項に記載の画像読取装置と
を備える、画像形成装置。
【発明の詳細な説明】
【技術分野】
【０００１】
本発明は、画像読取装置、及び画像形成装置に関する。
【背景技術】
【０００２】
特許文献１に記載の画像読取装置は、カバーシートに形成された原稿画像から、識別情報を読み出す。そして、識別情報に基づいて、カバーシートより後の原稿に形成された画像に対する「処理の内容」を決定する。「処理」は、原稿に形成された画像の読取処理を含み、「処理の内容」は、原稿に形成された画像の読取条件を含む。
【先行技術文献】
【特許文献】
【０００３】
【特許文献１】特開２０１５−８３７０号公報
【発明の概要】
【発明が解決しようとする課題】
【０００４】
しかしながら、特許文献１に記載の画像読取装置では、識別情報に基づいて原稿の読取条件が設定されるため、読取条件を初期条件のようなユーザーの所望する条件に設定することができない可能性がある。
【０００５】
本発明は、上記課題に鑑みてなされたものであり、読取条件をユーザーの所望する条件に設定可能な画像読取装置、及び画像形成装置を提供することを目的としている。
【課題を解決するための手段】
【０００６】
本発明の画像読取装置は、原稿読取部、判定部、及び第１設定部を備える。前記原稿読取部は、原稿に形成された画像を読み取り、画像情報を生成する。前記判定部は、前記画像情報が、予め設定された特定画像を示すか否かを判定する。前記第１設定部は、前記判定部の判定結果に応じて、読取条件を前記特定画像に対応する条件に設定する。前記読取条件は、前記原稿読取部が前記原稿を読み取る条件を示す。
【０００７】
本発明の画像形成装置は、画像形成部、及び前記画像読取装置を備える。前記画像形成部は、記録媒体に画像を形成する。
【発明の効果】
【０００８】
本発明の画像読取装置、及び画像形成装置によれば、読取条件をユーザーの所望する条件に設定できる。
【図面の簡単な説明】
【０００９】
【図１】本発明の実施形態に係る画像形成装置の構成を示す図である。
【図２】第１実施形態に係る制御部の構成を示す図である。
【図３】第２画像の一例を示す図である。
【図４】第３画像の一例を示す図である。
【図５】制御部の読取条件記憶処理を示すフローチャートである。
【図６】制御部の処理条件記憶処理を示すフローチャートである。
【図７】制御部の処理を示すフローチャートである。
【図８】第２実施形態に係る制御部の構成を示す図である。
【図９】読取条件設定画面を示す画面図である。
【図１０】制御部の処理を示すフローチャートである。
【発明を実施するための形態】
【００１０】
以下、本発明の実施形態について、図面（図１〜図１０）を参照しながら説明する。なお、図中、同一又は相当部分については同一の参照符号を付して説明を繰り返さない。
【００１１】
＜第１実施形態と第２実施形態とに共通の構成＞
まず、図１を参照して、第１実施形態と第２実施形態とに共通の構成について説明する。図１は、本発明の実施形態に係る画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１２】
画像形成ユニット１は、記録媒体の一例である用紙Ｐに画像を形成する。画像読取ユニット２は、原稿Ｒの表面と裏面とのうち、表面に形成された画像を読み取る。また、画像読取ユニット２は、制御部５を備える。原稿搬送ユニット３は、原稿Ｒを画像読取ユニット２に供給すると共に、原稿Ｒの裏面に形成された画像を読み取る。操作表示部４は、ユーザーの操作を受け付ける。制御部５は、画像読取ユニット２に配置される。制御部５は、画像形成装置１００の動作を制御する。なお、画像読取ユニット２、原稿搬送ユニット３、操作表示部４、及び制御部５は、「画像読取装置」に相当する。
【００１３】
また、画像形成ユニット１は、給送カセット１１及び画像形成部１３を備える。給送カセット１１から繰り出された用紙Ｐは、画像形成部１３まで搬送される。画像形成部１３は、用紙Ｐに画像を形成する。画像が形成された用紙Ｐは、用紙Ｐに形成された画像が用紙Ｐに定着された後、排出される。
【００１４】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。
【００１５】
制御部５は、プロセッサー、及び記憶部を備える。プロセッサーは、例えばＣＰＵ（Ｃｅｎｔｒａｌ  Ｐｒｏｃｅｓｓｉｎｇ  Ｕｎｉｔ）を備える。記憶部は、半導体メモリーのようなメモリーを備え、ＨＤＤ（Ｈａｒｄ  Ｄｉｓｋ  Ｄｒｉｖｅ）を備えてもよい。記憶部は、制御プログラムを記憶している。プロセッサーは、制御プログラムを実行することによって各種機能部として機能する。
【００１６】
次に、画像読取ユニット２、及び原稿搬送ユニット３について説明する。画像読取ユニット２は、第１画像読取部２１を備えている。
【００１７】
第１画像読取部２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これら各部材が一体化されたＣＩＳ（Ｃｏｎｔａｃｔ  Ｉｍａｇｅ  Ｓｅｎｓｏｒ）ユニットである。
【００１８】
画像読取ユニット２による原稿Ｒの画像読取方法には、「フラットベッド読取モード」、及び「ＡＤＦ（Ａｕｔｏ  Ｄｏｃｕｍｅｎｔ  Ｆｅｅｄｅｒ）読取モード」の２種類の方法が存在する。「フラットベッド読取モード」では、原稿載置用ガラス上に載置された原稿Ｒの画像を読み取る。「ＡＤＦ読取モード」では、原稿搬送ユニット３によって原稿Ｒを搬送させ、原稿Ｒが第１読取位置２１ａを通過する際に、原稿Ｒの表面の画像を読み取る。
【００１９】
原稿搬送ユニット３は、原稿トレイ３１、第２画像読取部３２を備えている。また、原稿搬送ユニット３は、ＡＤＦを構成している。
【００２０】
原稿トレイ３１には、複数枚の原稿Ｒが載置される。第２画像読取部３２は、ＬＥＤ、コンタクトガラス、結像レンズ及びイメージセンサーを備え、これら各部材が一体化されたＣＩＳユニットである。第２画像読取部３２は、原稿Ｒの裏面の画像を読み取る。
【００２１】
＜第１実施形態＞
次に、図１〜図６を参照して、第１実施形態に係る画像形成装置１００について説明する。第１実施形態では、画像読取ユニット２は、「ＡＤＦ読取モード」で原稿Ｒの画像を読み取る。
【００２２】
まず、図１及び図２を参照して、第１実施形態に係る制御部５の構成について説明する。図２は、第１実施形態に係る制御部５の構成を示す図である。図２に示すように、制御部５は、原稿読取部５０１、判定部５０２、第１設定部５０３、第１決定部５０４、第１記憶部５０５、第２決定部５０６、第２記憶部５０７、及び実行部５０８を備える。
【００２３】
原稿読取部５０１は、原稿Ｒに形成された画像を読み取り、画像情報ＤＲを生成する。具体的には、原稿読取部５０１からの指示に従って、原稿搬送ユニット３が、原稿Ｒを第１読取位置２１ａに搬送し、画像読取ユニット２が原稿Ｒの表面の画像の連続読み取りを行い、画像情報ＤＲを生成する。
【００２４】
判定部５０２は、画像情報ＤＲが、予め設定された特定画像Ｍを示すか否かを判定する。特定画像Ｍは、第１画像Ｍ１、第２画像Ｍ２及び第３画像Ｍ３を含む。第１画像Ｍ１は、白紙を示す。第２画像Ｍ２及び第３画像Ｍ３については、図３及び図４を参照して説明する。
【００２５】
第１設定部５０３は、判定部５０２の判定結果に応じて、読取条件ＣＲを特定画像Ｍに対応する条件に設定する。読取条件ＣＲは、原稿Ｒより後の原稿Ｒを読み取る条件を示す。具体的には、画像情報ＤＲが第１画像Ｍ１を示すと判定部５０２が判定した場合に、第１設定部５０３は、読取条件ＣＲを初期条件ＣＲＡに設定する。
【００２６】
第１決定部５０４は、ユーザーのタッチパネル４１に対する操作に応じて読取条件ＣＲ１を決定する。
【００２７】
第１記憶部５０５は、第１決定部５０４が決定した読取条件ＣＲ１を第１識別情報Ｄ１に対応付けて記憶する。
【００２８】
第２決定部５０６は、ユーザーのタッチパネル４１に対する操作に応じて、読取条件ＣＲ２と、処理Ｑの処理条件ＣＱとを決定する。「処理Ｑ」は、原稿Ｒを読み取る処理以外の処理を示す。「処理Ｑ」は、例えば、画像情報ＤＲの形式を変換する処理である。
【００２９】
第２記憶部５０７は、読取条件ＣＲ２と処理条件ＣＱとを第２識別情報Ｄ２に対応付けて記憶する。
【００３０】
実行部５０８は、処理条件ＣＱに対応した処理Ｑを実行する。
【００３１】
以上、図１及び図２を参照して説明したように、第１実施形態では、原稿Ｒの画像情報ＤＲが、予め設定された特定画像Ｍを示す場合に、第１設定部５０３が読取条件ＣＲを特定画像Ｍに対応する条件に設定する。読取条件ＣＲは、原稿読取部５０１が原稿Ｒより後の原稿Ｒを読み取る条件を示す。したがって、ユーザーが、特定画像Ｍに対応する条件を、ユーザーの所望する条件に決定することによって、読取条件ＣＲをユーザーの所望する条件に設定できる。
【００３２】
また、画像情報ＤＲが第１画像Ｍ１を示す場合に、第１設定部５０３は、読取条件ＣＲを初期条件ＣＲＡに決定する。したがって、第１画像Ｍ１が形成された原稿Ｒを原稿読取部５０１が読み取るように原稿トレイ３１に原稿Ｒを載置することによって、読取条件ＣＲを初期条件ＣＲＡに設定できる。
【００３３】
更に、第１画像Ｍ１は、白紙を示す。したがって、原稿読取部５０１が白紙を読み取るように原稿トレイ３１に白紙を載置することによって、読取条件ＣＲを初期条件ＣＲＡに設定できる。
【００３４】
次に、図１〜図３を参照して、制御部５の構成について更に説明する。図３は、第２画像Ｍ２が形成された原稿６の一例を示す図である。図３に示すように、原稿６には、ＱＲコード（登録商標）６１、及び読取条件６２が記載されている。
【００３５】
ＱＲコード（登録商標）６１は、第１識別情報Ｄ１を示す。読取条件６２は、第１識別情報Ｄ１に対応する読取条件ＣＲ１を示す。図３に示すように、読取条件６２は、色条件６２１、濃度条件６２２、及び読取面条件６２３を含む。
【００３６】
色条件６２１は、カラー画像を示す画像情報ＤＲを読み取るか、モノクロ画像を示す画像情報ＤＲを読み取るかを示す。色条件６２１には、「カラー」と記載されており、色条件６２１は、カラー画像を示す画像情報ＤＲを読み取ることを示す。画像情報ＤＲは、原稿Ｒの画像を示す。
【００３７】
濃度条件６２２は、画像情報ＤＲを読み取る濃度の条件を示す。例えば、濃度条件６２２は、１〜５のいずれかの値に設定される。濃度条件６２２のように、「３」である場合には、通常濃度であることを示す。
【００３８】
読取面条件６２３は、画像情報ＤＲを読み取る面が原稿Ｒの片面であるか、原稿Ｒの両面であるかを示す。読取面条件６２３には、「両面」と記載されており、読取面条件６２３は、画像情報ＤＲを読み取る面が原稿Ｒの両面であることを示す。
【００３９】
判定部５０２は、画像情報ＤＲが、第２画像Ｍ２を示すか否かを判定する。第２画像Ｍ２は、第１識別情報Ｄ１を示す。具体的には、第２画像Ｍ２は、二次元コードを示す。第２画像Ｍ２は、例えば、ＱＲコード（登録商標）を示す。
【００４０】
また、画像情報ＤＲが第２画像Ｍ２を示すと判定部５０２が判定した場合に、第１設定部５０３は、第１識別情報Ｄ１に対応する読取条件ＣＲ１を第１記憶部５０５から読み出す。そして、第１設定部５０３は、読取条件ＣＲを読取条件ＣＲ１に設定する。
【００４１】
以上、図１〜図３を参照して説明したように、第１実施形態では、第１記憶部５０５が、ユーザーの操作に応じて設定した読取条件ＣＲ１を第１識別情報Ｄ１に対応付けて記憶する。画像情報ＤＲが第２画像Ｍ２を示す場合に、第１設定部５０３は、第１識別情報Ｄ１に対応する読取条件ＣＲ１に読取条件ＣＲを設定する。また、第２画像Ｍ２が形成された原稿Ｒを原稿トレイ３１に載置することによって、第２画像Ｍ２が形成された原稿Ｒを原稿読取部５０１が読み取ることができる。その結果、読取条件ＣＲを読取条件ＣＲ１に設定できる。したがって、読取条件ＣＲをユーザーの操作に応じて設定した読取条件ＣＲ１に設定できる。
【００４２】
次に、図１、図２及び図４を参照して、制御部５の構成について更に説明する。図４は、第３画像Ｍ３が形成された原稿７の一例を示す図である。図４に示すように、原稿７には、ＱＲコード（登録商標）７１、及び処理条件７２が記載されている。
【００４３】
ＱＲコード（登録商標）７１は、第２識別情報Ｄ２を示す。処理条件７２は、第２識別情報Ｄ２に対応する処理条件ＣＱを示す。図４に示すように、処理条件７２は、型式変換条件７２１、及び記憶先条件７２２を含む。
【００４４】
型式変換条件７２１は、原稿Ｒの画像情報ＤＲをどのような形式の画像情報に変換するかを示す。型式変換条件７２１には、「ＰＤＦ」と記載されており、型式変換条件７２１は、画像情報ＤＲをＰＤＦ（Ｐｏｒｔａｂｌｅ  Ｄｏｃｕｍｅｎｔ  Ｆｏｒｍａｔ）形式に変換することを示す。
【００４５】
記憶先条件７２２は、型式変換した画像情報をどこに記憶するかを示す。記憶先条件７２２には、「ＡさんのＢｏｘ」と記載されており、ＰＤＦ形式に変換した結果を、「ＡさんのＢｏｘ」に記憶することを示す。
【００４６】
判定部５０２は、画像情報ＤＲが、第３画像Ｍ３を示すか否かを判定する。第３画像Ｍ３は、第２識別情報Ｄ２を示す。具体的には、第３画像Ｍ３は、二次元コードを示す。第３画像Ｍ３は、例えば、ＱＲコード（登録商標）を示す。
【００４７】
また、画像情報ＤＲが第３画像Ｍ３を示すと判定部５０２が判定した場合に、第１設定部５０３は、第２識別情報Ｄ２に対応する読取条件ＣＲ２を第１記憶部５０５から読み出す。そして、第１設定部５０３は、読取条件ＣＲを読取条件ＣＲ２に設定する。
【００４８】
実行部５０８は、原稿Ｒの画像情報ＤＲに対して、処理条件ＣＱに対応した処理Ｑを実行する。
【００４９】
以上、図１、図２及び図４を参照して説明したように、第１実施形態では、第２記憶部５０７は、ユーザーの操作に応じて設定した読取条件ＣＲ２と、処理Ｑの処理条件ＣＱとを第２識別情報Ｄ２に対応付けて記憶する。画像情報ＤＲが第３画像Ｍ３を示す場合に、第１設定部５０３は、第２識別情報Ｄ２に対応する読取条件ＣＲ２に読取条件ＣＲを設定する。また、実行部５０８は、原稿Ｒに対応する画像情報ＤＲに対して、処理条件ＣＱに対応した処理Ｑを実行する。更に、原稿トレイ３１に第３画像Ｍ３が形成された原稿Ｒを載置することによって、第３画像Ｍ３が形成された原稿Ｒを原稿読取部５０１が読み取ることができる。その結果、処理条件ＣＱを設定できる。したがって、画像情報ＤＲに対して、処理条件ＣＱに対応した処理Ｑを実行できる。
【００５０】
次に、図１〜図７を参照して、制御部５の処理について説明する。まず、図１〜図５を参照して制御部５の「読取条件記憶処理」について説明する。図５は、制御部５の「読取条件記憶処理」を示すフローチャートである。「読取条件記憶処理」は、読取条件ＣＲ１を示す情報、第１識別情報Ｄ１、及び第２画像Ｍ２を示す情報を第１記憶部５０５に記憶する処理を示す。
【００５１】
図５に示すように、まず、ステップＳ２０１において、第１決定部５０４がユーザーの操作に応じて読取条件ＣＲ１を決定する。
次に、ステップＳ２０３において、第１決定部５０４が第１識別情報Ｄ１を生成する。
そして、ステップＳ２０５において、第１決定部５０４が第２画像Ｍ２を生成する。第２画像Ｍ２は、第１識別情報Ｄ１を示すＱＲコード（登録商標）である。
次に、ステップＳ２０７において、第１決定部５０４が、ユーザーの操作に応じて、読取条件ＣＲ１を示す名称Ｎ１を決定する。名称Ｎ１は、ユーザーが読取条件ＣＲ１を認識し易くするために決定する。
そして、ステップＳ２０９において、第１決定部５０４が、第１記憶部５０５に、名称Ｎ１に対応付けて、読取条件ＣＲ１を示す情報、第１識別情報Ｄ１、及び第２画像Ｍ２を示す情報を第１記憶部５０５に記憶して、処理が終了する。
【００５２】
図１〜図５を参照して説明したように、第１記憶部５０５に、読取条件ＣＲ１を示す情報、第１識別情報Ｄ１、及び第２画像Ｍ２を示す情報が記憶される。また、読取条件ＣＲ１を示す情報、第１識別情報Ｄ１、及び第２画像Ｍ２を示す情報は、名称Ｎ１に対応付けて記憶されている。したがって、ユーザーが名称Ｎ１を指定することによって、第２画像Ｍ２を読み出して、用紙Ｐに形成できる。
【００５３】
次に、図１〜図６を参照して、制御部５の「処理条件記憶処理」について説明する。図６は、制御部５の「処理条件記憶処理」を示すフローチャートである。「処理条件記憶処理」は、処理条件ＣＱを示す情報、第２識別情報Ｄ２、及び第３画像Ｍ３を示す情報を第２記憶部５０７に記憶する処理を示す。
【００５４】
まず、ステップＳ３０１において、第２決定部５０６がユーザーの操作に応じて処理条件ＣＱを決定する。
次に、ステップＳ３０３において、第２決定部５０６が第２識別情報Ｄ２を生成する。
そして、ステップＳ３０５において、第２決定部５０６が第３画像Ｍ３を生成する。第３画像Ｍ３は、第２識別情報Ｄ２を示すＱＲコード（登録商標）である。
次に、ステップＳ３０７において、第２決定部５０６が、ユーザーの操作に応じて、処理条件ＣＱを示す名称Ｎ２を決定する。名称Ｎ２は、ユーザーが処理条件ＣＱを認識し易くするために決定する。
そして、ステップＳ３０９において、第２決定部５０６が、第２記憶部５０７に、名称Ｎ２に対応付けて、処理条件ＣＱを示す情報、第２識別情報Ｄ２、及び第３画像Ｍ３を示す情報を第２記憶部５０７に記憶して、処理が終了する。
【００５５】
図１〜図６を参照して説明したように、第２記憶部５０７に、処理条件ＣＱを示す情報、第２識別情報Ｄ２、及び第３画像Ｍ３を示す情報が記憶される。また、処理条件ＣＱ、第２識別情報Ｄ２、及び第３画像Ｍ３を示す情報は、名称Ｎ２に対応付けて記憶されている。したがって、ユーザーが名称Ｎ２を指定することによって、第３画像Ｍ３を読み出して、用紙Ｐに形成できる。
【００５６】
次に、図１〜図７を参照して、制御部５の処理について更に説明する。図７は、制御部５の処理を示すフローチャートである。
【００５７】
まず、ステップＳ１０１において、制御部５がユーザーの操作に応じて原稿Ｒの読取を開始するか否かを判定する。
原稿Ｒの読取を開始しないと制御部５が判定した場合（ステップＳ１０１でＮＯ）には、処理が待機状態になる。原稿Ｒの読取を開始すると制御部５が判定した場合（ステップＳ１０１でＹＥＳ）には、処理がステップＳ１０３に進む。
そして、ステップＳ１０３において、制御部５は、既に設定されている読取条件ＣＲ４を第１記憶部５０５に記憶する。具体的には、制御部５は、第１識別情報Ｄ１及び第２画像Ｍ２を生成し、名称Ｎ１に対応付けて、読取条件ＣＲ４を示す情報、第１識別情報Ｄ１、及び第２画像Ｍ２を示す情報を、第１記憶部５０５に記憶する。名称Ｎ１は、例えば、「前回設定」である。
【００５８】
次に、ステップＳ１０５において、原稿読取部５０１が原稿Ｒに形成された画像を読み取り、画像情報ＤＲを生成する。
そして、ステップＳ１０７において、判定部５０２が、画像情報ＤＲが第１画像Ｍ１を示すか否かを判定する。
画像情報ＤＲが第１画像Ｍ１を示さないと判定部５０２が判定した場合（ステップＳ１０７でＮＯ）には、処理がステップＳ１１１に進む。画像情報ＤＲが第１画像Ｍ１を示すと判定部５０２が判定した場合（ステップＳ１０７でＹＥＳ）には、処理がステップＳ１０９に進む。
そして、ステップＳ１０９において、第１設定部５０３が、読取条件ＣＲを初期条件ＣＲＡに設定し、処理がステップＳ１０５に戻る。
【００５９】
ステップＳ１０７でＮＯの場合には、ステップＳ１１１において、判定部５０２が、画像情報ＤＲが第２画像Ｍ２を示すか否かを判定する。
画像情報ＤＲが第２画像Ｍ２を示さないと判定部５０２が判定した場合（ステップＳ１１１でＮＯ）には、処理がステップＳ１１５に進む。画像情報ＤＲが第２画像Ｍ２を示すと判定部５０２が判定した場合（ステップＳ１１１でＹＥＳ）には、処理がステップＳ１１３に進む。
そして、ステップＳ１１３において、第１設定部５０３が、読取条件ＣＲを読取条件ＣＲ１に設定する。具体的には、第１設定部５０３は、第２画像Ｍ２が示す第１識別情報Ｄ１を読み出す。そして、第１設定部５０３は、第１識別情報Ｄ１に対応する読取条件ＣＲ１を第１記憶部５０５から読み出す。更に、第１設定部５０３は、読取条件ＣＲを読取条件ＣＲ１に設定する。その後、処理がステップＳ１０５に戻る。
【００６０】
ステップＳ１１１でＮＯの場合には、ステップＳ１１５において、判定部５０２が、画像情報ＤＲが第３画像Ｍ３を示すか否かを判定する。
画像情報ＤＲが第３画像Ｍ３を示さないと判定部５０２が判定した場合（ステップＳ１１５でＮＯ）には、処理がステップＳ１２１に進む。画像情報ＤＲが第３画像Ｍ３を示すと判定部５０２が判定した場合（ステップＳ１１５でＹＥＳ）には、処理がステップＳ１１７に進む。
そして、ステップＳ１１７において、制御部５が処理条件ＣＱを設定する。具体的には、第１設定部５０３は、第３画像Ｍ３が示す第２識別情報Ｄ２を読み出す。そして、第１設定部５０３が、第２識別情報Ｄ２に対応する読取条件ＣＲ２及び処理条件ＣＱを第２記憶部５０７から読み出す。更に、第１設定部５０３は、読取条件ＣＲを読取条件ＣＲ２に設定する。制御部５が処理Ｑの処理条件ＣＱを設定する。その後、処理がステップＳ１１９に進む。
【００６１】
そして、ステップＳ１１９において、制御部５が、処理条件ＣＱの設定が完了したか否かを判定する。
処理条件ＣＱの設定が完了していないと制御部５が判定した場合（ステップＳ１１９でＮＯ）には、処理が待機状態になる。処理条件ＣＱの設定が完了したと制御部５が判定した場合（ステップＳ１１９でＹＥＳ）には、処理がステップＳ１０５に戻る。
【００６２】
ステップＳ１１５でＮＯの場合には、ステップＳ１２１において、制御部５が、処理Ｑの処理条件ＣＱが設定されているか否かを判定する。
処理条件ＣＱが設定されていないと制御部５が判定した場合（ステップＳ１２１でＮＯ）には、処理がステップＳ１２５に進む。処理条件ＣＱが設定されていると制御部５が判定した場合（ステップＳ１２１でＹＥＳ）には、処理がステップＳ１２３に進む。
そして、ステップＳ１２３において、実行部５０８が、処理条件ＣＱに対応する処理Ｑを実行する。
次に、ステップＳ１２５において、制御部５が最後の原稿Ｒであるか否かを判定する。具体的には、制御部５は、原稿トレイ３１に載置された原稿Ｒが残っているか否かに応じて、最後の原稿Ｒであるか否かを判定する。
最後の原稿Ｒではないと制御部５が判定した場合（ステップＳ１２５でＮＯ）には、処理がステップＳ１０５に戻る。最後の原稿Ｒであると制御部５が判定した場合（ステップＳ１２５でＹＥＳ）には、処理が終了する。
【００６３】
以上、図１〜図７を参照して説明したように、本実施形態では、画像情報ＤＲが第１画像Ｍ１を示すと判定部５０２が判定した場合に、第１設定部５０３は、読取条件ＣＲを初期条件ＣＲＡに設定できる。また、画像情報ＤＲが第２画像Ｍ２を示すと判定部５０２が判定した場合に、第１設定部５０３は、読取条件ＣＲを読取条件ＣＲ１に設定できる。更に、画像情報ＤＲが第３画像Ｍ３を示すと判定部５０２が判定した場合に、制御部５は、処理条件ＣＱを設定できる。処理条件ＣＱは、処理Ｑの内容を示す。
【００６４】
＜第２実施形態＞
次に、図１〜図１０を参照して、第２実施形態に係る画像形成装置１００について説明する。第２実施形態では、画像読取ユニット２が、「フラットベッド読取モード」で原稿Ｒの画像を読み取る点で第１実施形態と相違する。
【００６５】
まず、図１〜図８を参照して、第２実施形態に係る制御部５の構成について説明する。図８は、第２実施形態に係る制御部５の構成を示す図である。図８に示すように、制御部５は、図２に示す原稿読取部５０１〜実行部５０８に加えて、第２設定部５１１、第３決定部５１２、第３記憶部５１３、及び第３設定部５１４を更に備える。第２実施形態に係る制御部５は、第１実施形態に係る制御部５と比較して、第２設定部５１１、第３決定部５１２、第３記憶部５１３、及び第３設定部５１４を更に備える点で相違している。
【００６６】
第２設定部５１１は、ユーザーのタッチパネル４１に対する操作に応じて読取条件ＣＲを初期条件ＣＲＡに設定する。
【００６７】
第３決定部５１２は、ユーザーのタッチパネル４１に対する操作に応じて読取条件ＣＲ３を決定する。
【００６８】
第３記憶部５１３は、読取条件ＣＲ３を示す情報を記憶する。
【００６９】
第３設定部５１４は、ユーザーのタッチパネル４１に対する操作に応じて読取条件ＣＲを読取条件ＣＲ３に設定する。具体的には、第３設定部５１４は、ユーザーのタッチパネル４１に対する操作に応じて、第３記憶部５１３から読取条件ＣＲ３を読み出す。そして、第３設定部５１４は、読取条件ＣＲを読取条件ＣＲ３に設定する。
【００７０】
以上、図１〜図８を参照して説明したように、第２実施形態では、第２設定部５１１は、ユーザーの操作に応じて読取条件ＣＲを初期条件ＣＲＡに設定する。したがって、ユーザーが操作することによって、読取条件ＣＲを初期条件ＣＲＡに設定できる。
【００７１】
また、第３記憶部５１３がユーザーの操作に応じて決定した読取条件ＣＲ３を示す情報を記憶する。また、第３設定部５１４が、ユーザーの操作に応じて読取条件ＣＲを読取条件ＣＲ３に決定する。よって、ユーザーが操作することによって、読取条件ＣＲを読取条件ＣＲ３に設定できる。したがって、読取条件ＣＲをユーザーが所望する読取条件ＣＲ３に設定できる。
【００７２】
次に、図１〜図９を参照して、第２実施形態に係る制御部５の構成について更に説明する。図９は、読取条件設定画面８００を示す画面図である。読取条件設定画面８００は、第３設定部５１４がタッチパネル４１に表示する。読取条件設定画面８００は、ユーザーが読取条件ＣＲを所望する読取条件に設定する際にタッチパネル４１に表示する画面である。
【００７３】
図９に示すように、読取条件設定画面８００には、初期ボタン８０１、前回設定ボタン８０２、Ａさん用ボタン８０３、及びＢさん用ボタン８０４が表示されている。
【００７４】
初期ボタン８０１は、読取条件ＣＲを初期条件ＣＲＡに設定する場合に、ユーザーによってタッチされる。初期ボタン８０１がタッチされると、第２設定部５１１は、読取条件ＣＲを初期条件ＣＲＡに設定する。
【００７５】
前回設定ボタン８０２は、読取条件ＣＲを読取条件ＣＲ４に設定する場合に、ユーザーによってタッチされる。読取条件ＣＲ４は、例えば、第１実施形態に係る第１設定部５０３によって、読取条件ＣＲが読取条件ＣＲ１に設定される前の読取条件ＣＲを示す。前回設定ボタン８０２がタッチされると、第２設定部５１１は、読取条件ＣＲを読取条件ＣＲ４に設定する。
【００７６】
Ａさん用ボタン８０３は、読取条件ＣＲを読取条件ＣＲ３１に設定する場合に、ユーザーによってタッチされる。読取条件ＣＲ３１は、読取条件ＣＲ３の一例を示す。また、読取条件ＣＲ３１は、Ａさんがタッチパネル４１を操作して決定した読取条件ＣＲを示す。具体的には、Ａさんのタッチパネル４１に対する操作に応じて、第３決定部５１２が読取条件ＣＲ３１を決定する。そして、第３決定部５１２は、読取条件ＣＲ３１を示す情報を第３記憶部５１３に記憶する。Ａさん用ボタン８０３がタッチされると、第２設定部５１１は、読取条件ＣＲを読取条件ＣＲ３１に設定する。
【００７７】
Ｂさん用ボタン８０４は、読取条件ＣＲを読取条件ＣＲ３２に設定する場合に、ユーザーによってタッチされる。読取条件ＣＲ３２は、読取条件ＣＲ３の別の一例を示す。また、読取条件ＣＲ３２は、Ｂさんがタッチパネル４１を操作して決定した読取条件ＣＲを示す。具体的には、Ｂさんのタッチパネル４１に対する操作に応じて、第３決定部５１２が読取条件ＣＲ３２を決定する。そして、第３決定部５１２は、読取条件ＣＲ３２を示す情報を第３記憶部５１３に記憶する。Ｂさん用ボタン８０４がタッチされると、第２設定部５１１は、読取条件ＣＲを読取条件ＣＲ３２に設定する。
【００７８】
以上、図１〜図９を参照して説明したように、ユーザーは、初期ボタン８０１をタッチすることによって、読取条件ＣＲを初期条件ＣＲＡに設定できる。また、ユーザーは、前回設定ボタン８０２をタッチすることによって、読取条件ＣＲを読取条件ＣＲ４に設定できる。読取条件ＣＲ４は、例えば、読取条件ＣＲ１に設定される前の読取条件ＣＲを示す。更に、ユーザーは、Ａさん用ボタン８０３をタッチすることによって、読取条件ＣＲを読取条件ＣＲ３１に設定できる。また、ユーザーは、Ｂさん用ボタン８０４をタッチすることによって、読取条件ＣＲを読取条件ＣＲ３２に設定できる。
【００７９】
次に、図１〜図１０を参照して、第２実施形態に係る制御部５の処理について更に説明する。図１０は、制御部５の処理を示すフローチャートである。
まず、ステップＳ４０１において、制御部５がユーザーの操作に応じて原稿Ｒの読取を開始するか否かを判定する。
原稿Ｒの読取を開始しないと制御部５が判定した場合（ステップＳ４０１でＮＯ）には、処理が待機状態になる。原稿Ｒの読取を開始すると制御部５が判定した場合（ステップＳ４０１でＹＥＳ）には、処理がステップＳ４０３に進む。
そして、ステップＳ４０３において、原稿読取部５０１が原稿Ｒに形成された画像を読み取り、画像情報ＤＲを生成する。
【００８０】
次に、ステップＳ４０５において、第２設定部５１１は、第１ボタンＢ１がタッチされたか否かを判定する。第１ボタンＢ１は、図８に示す初期ボタン８０１に対応する。
第１ボタンＢ１がタッチされていないと第２設定部５１１が判定した場合（ステップＳ４０５でＮＯ）には、処理がステップＳ４０９に進む。第１ボタンＢ１がタッチされたと第２設定部５１１が判定した場合（ステップＳ４０５でＹＥＳ）には、処理がステップＳ４０７に進む。
そして、ステップＳ４０７において、第２設定部５１１が、読取条件ＣＲを初期条件ＣＲＡに設定し、処理がステップＳ４０１に戻る。
【００８１】
ステップＳ４０５でＮＯの場合には、ステップＳ４０９において、第３設定部５１４は、第２ボタンＢ２がタッチされたか否かを判定する。第２ボタンＢ２は、図８に示す前回設定ボタン８０２、Ａさん用ボタン８０３、及びＢさん用ボタン８０４に対応する。
第２ボタンＢ２がタッチされていないと第３設定部５１４が判定した場合（ステップＳ４０９でＮＯ）には、処理がステップＳ４１３に進む。第２ボタンＢ２がタッチされたと第３設定部５１４が判定した場合（ステップＳ４０９でＹＥＳ）には、処理がステップＳ４１１に進む。
そして、ステップＳ４１１において、第３設定部５１４が読取条件ＣＲを読取条件ＣＲ３又は、読取条件ＣＲ４に設定し、処理がステップＳ４０１に戻る。
ステップＳ４０９でＮＯの場合には、ステップＳ４１３において、制御部５が、最後の原稿Ｒであるか否かを判定する。具体的には、制御部５は、原稿Ｒの読取が終わってから所定時間以上経過したか否かに応じて、最後の原稿Ｒであるか否かを判定する。所定時間は、例えば、２分である。
最後の原稿Ｒではないと制御部５が判定した場合（ステップＳ４１３でＮＯ）には、処理がステップＳ４０１に戻る。最後の原稿Ｒであると制御部５が判定した場合（ステップＳ４１３でＹＥＳ）には、処理が終了する。
【００８２】
図１〜図１０を参照して説明したように、ユーザーがタッチパネル４１を操作することによって、読取条件ＣＲを初期条件ＣＲＡ、読取条件ＣＲ３又は、読取条件ＣＲ４に設定できる。
【００８３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（８））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８４】
（１）図１及び図２を参照して説明したように、画像形成装置１００が複合機であるが、本発明はこれに限定されない。画像形成装置１００が画像読取ユニット２と画像形成部１３とを備えればよい。例えば、画像形成装置１００が複写機である形態でもよい。
【００８５】
（２）図１〜図７を参照して説明したように、第１画像Ｍ１が白紙を示すが、本発明はこれに限定されない。第１画像Ｍ１が予め設定された特定画像Ｍを示せばよい。例えば、第１画像Ｍ１が二次元コードを示す形態でもよい。また、例えば、第１画像Ｍ１がバーコードを示す形態でもよい。
【００８６】
（３）図１〜図７を参照して説明したように、第２画像Ｍ２がＱＲコード（登録商標）を示すが、本発明はこれに限定されない。第２画像Ｍ２が予め設定された特定画像Ｍを示せばよい。例えば、第２画像Ｍ２が他の態様の二次元コードを示す形態でもよい。また、例えば、第２画像Ｍ２がバーコードを示す形態でもよい。
【００８７】
（４）図１〜図７を参照して説明したように、第３画像Ｍ３がＱＲコード（登録商標）を示すが、本発明はこれに限定されない。第３画像Ｍ３が予め設定された特定画像Ｍを示せばよい。例えば、第３画像Ｍ３が他の態様の二次元コードを示す形態でもよい。また、例えば、第３画像Ｍ３がバーコードを示す形態でもよい。
【００８８】
（５）図１〜図７を参照して説明したように、第１決定部５０４及び第２決定部５０６がタッチパネル４１を介してユーザーの操作を受け付けるが、本発明はこれに限定されない。第１決定部５０４及び第２決定部５０６がユーザーの操作を受け付ければよい。例えば、第１決定部５０４及び第２決定部５０６が操作表示部４に配置されたハードキーを介してユーザーの操作を受け付ける形態でもよい。
【００８９】
（６）図１〜図７を参照して説明したように、第１実施形態では、画像読取ユニット２は「ＡＤＦ読取モード」で原稿Ｒの画像を読み取るが、本発明はこれに限定されない。画像読取ユニット２が原稿Ｒの画像を読み取ればよい。例えば、画像読取ユニット２が「フラットベッド読取モード」で原稿Ｒの画像を読み取る形態でもよい。
【００９０】
（７）図１〜図１０を参照して説明したように、第２設定部５１１、第３決定部５１２、及び第３設定部５１４がタッチパネル４１を介してユーザーの操作を受け付けるが、本発明はこれに限定されない。第２設定部５１１、第３決定部５１２、及び第３設定部５１４がユーザーの操作を受け付ければよい。例えば、第２設定部５１１、第３決定部５１２、及び第３設定部５１４が操作表示部４に配置されたハードキーを介してユーザーの操作を受け付ける形態でもよい。
【００９１】
（８）図１〜図１０を参照して説明したように、第２実施形態では、画像読取ユニット２は「フラットベッド読取モード」で原稿Ｒの画像を読み取るが、本発明はこれに限定されない。画像読取ユニット２が原稿Ｒの画像を読み取ればよい。例えば、画像読取ユニット２が「ＡＤＦ読取モード」で原稿Ｒの画像を読み取る形態でもよい。
【産業上の利用可能性】
【００９２】
本発明は、画像読取装置、及び画像形成装置に関するものであり、産業上の利用可能性を有する。
【符号の説明】
【００９３】
１００    画像形成装置
１    画像形成ユニット
１３    画像形成部
２    画像読取ユニット（画像読取装置の一部）
３    原稿搬送ユニット（画像読取装置の一部）
３１    原稿トレイ
４    操作表示部（画像読取装置の一部）
４１    タッチパネル
５    制御部（画像読取装置の一部）
５０１    原稿読取部
５０２    判定部
５０３    第１設定部
５０４    第１決定部
５０５    第１記憶部
５０６    第２決定部
５０７    第２記憶部
５０８    実行部
５１１    第２設定部
５１２    第３決定部
５１３    第３記憶部
５１４    第３設定部
【図１】
2018170646.tif 000003
【図２】
2018170646.tif 000004
【図３】
2018170646.tif 000005
【図４】
2018170646.tif 000006
【図５】
2018170646.tif 000007
【図６】
2018170646.tif 000008
【図７】
2018170646.tif 000009
【図８】
2018170646.tif 000010
【図９】
2018170646.tif 000011
【図１０】
2018170646.tif 000012